(57)【特許請求の範囲】
【請求項１】
電解金属の基板上への垂直堆積装置において、
互いに平行となるように垂直に配置された少なくとも１つの第１の装置要素および第２の装置要素を備え、
前記第１の装置要素が、複数の貫通管路を有する少なくとも１つの第１のアノード要素と、複数の貫通管路を有する少なくとも１つの第１の支持要素とを備え、前記少なくとも１つの第１のアノード要素および前記少なくとも１つの第１の支持要素が互いに堅く接続され、
前記第２の装置要素が、処理する少なくとも１つの第１の基板を受容するように構成された少なくとも１つの第１の基板ホルダーを含み、前記少なくとも１つの第１の基板ホルダーが、前記処理する少なくとも１つの第１の基板の受容後にその外枠に沿って、当該基板の少なくとも一部を囲んでおり、
前記第２の装置要素は、前記第１の装置要素の前記第１のアノード要素側に設けられており、前記少なくとも１つの第１の装置要素の前記第１のアノード要素と前記第２の装置要素の前記少なくとも１つの第１の基板ホルダーとの間の距離が２〜１５ｍｍの範囲であり、
前記第１の装置要素の前記第１の支持要素の前記複数の貫通管路が、当該支持要素の表面上の垂線に関して１０°〜６０°の角度を有する直線の形態で当該第１の支持要素を貫通しており、
前記第１の装置要素の前記第１のアノード要素の前記複数の貫通管路が、当該第１のアノード要素の表面上の垂線に関して０°〜８０°の角度を有する直線の形態で当該第１のアノード要素を貫通しており、
前記第１の装置要素の前記第１の支持要素の前記複数の貫通管路、および前記第１の装置要素の前記第１のアノード要素の前記複数の貫通管路が、前記基板の中心軸に関して対称に配置されている
ことを特徴とする装置。
【請求項２】
垂直堆積する電解金属が銅であることを特徴とする請求項１に記載の装置。
【請求項３】
前記処理する少なくとも１つの第１の基板が、丸型、角型、または丸型および角型構造要素の混合であり、および／または
前記処理する少なくとも１つの第１の基板が、丸型構造の場合は５０ｍｍ〜１０００ｍｍの範囲の直径を有し、角型構造の場合は１０ｍｍ〜１０００ｍｍの範囲の辺長を有しており、および／または
前記処理する少なくとも１つの第１の基板が、プリント配線板、プリント配線箔、半導体ウェハ、太陽電池、光電セル、またはモニタセルであることを特徴とする、請求項１または２に記載の装置。
【請求項４】
第３の装置要素であって、前記第２の装置要素が前記第１の装置要素と当該第３の装置要素との間に配置されるように、当該第１の装置要素および当該第２の装置要素に平行となるように垂直に配置された、第３の装置要素をさらに備え、
前記第３の装置要素が、複数の貫通管路を有する少なくとも１つの第１のアノード要素と、複数の貫通管路を有する少なくとも１つの第１の支持要素とを備え、前記少なくとも１つの第１のアノード要素および前記少なくとも１つの第１の支持要素が互いに堅く接続され、
前記第２の装置要素は、前記第３の装置要素の前記第１のアノード要素側に設けられており、前記少なくとも１つの第３の装置要素の前記第１のアノード要素と前記第２の装置要素の前記少なくとも１つの第１の基板ホルダーとの間の距離が２〜１５ｍｍの範囲であり、
前記第３の装置要素の前記第１の支持要素の前記複数の貫通管路が、当該支持要素の表面上の垂線に関して１０°〜６０°の角度を有する直線の形態で当該第１の支持要素を貫通しており、
前記第３の装置要素の前記第１のアノード要素の前記複数の貫通管路が、当該第１のアノード要素の表面上の垂線に関して０°〜８０°の角度を有する直線の形態で当該第１のアノード要素を貫通しており、
前記第３の装置要素の前記第１の支持要素の前記複数の貫通管路、および前記第３の装置要素の前記第１のアノード要素の前記複数の貫通管路が、前記基板の中心軸に関して対称に配置されている
ことを特徴とする、請求項１〜３のいずれか一項に記載の装置。
【請求項５】
前記第１の装置要素および／または前記第３の装置要素が、複数の貫通管路を有し、当該第１の装置要素および／または当該第３の装置要素の前記少なくとも１つの第１のアノード要素に取り外し可能に接続されたマスキング要素をさらに備え、
前記マスキング要素の表面上における前記複数の貫通管路の分布が均等または不均等であることを特徴とする、請求項１〜４のいずれか一項に記載の装置。
【請求項６】
前記マスキング要素は、前記第１の装置要素および／または前記第３の装置要素の前記少なくとも１つの第１の支持要素にも取り外し可能に接続されていることを特徴とする、請求項５に記載の装置。
【請求項７】
前記第１の装置要素および／または前記第３の装置要素の前記第１の支持要素が、前記少なくとも１つの第１のアノード要素側の前面上に複数の突起をさらに備え、
前記第１の支持要素の前記突起が、当該突起の表面が前記第１のアノード要素の表面と整列するように、当該第１のアノード要素の前記貫通管路に嵌入しており、
前記第１の支持要素の前記貫通管路が、前記突起全体にわたって直線的に延びたことを特徴とする、請求項１〜６のいずれか一項に記載の装置。
【請求項８】
一方側の前記第２の装置要素と他方側の前記第１の装置要素および／または前記第３の装置要素との間において、前記処理する基板の処理面と平行な方向の相対移動を生じさせる手段をさらに備えたことを特徴とする、請求項１〜７のいずれか一項に記載の装置。
【請求項９】
前記第１の装置要素および／もしくは前記第３の装置要素の前記第１のアノード要素が、少なくとも外側のアノード部分と内側のアノード部分とを備え、各アノード部分が互いに独立して電気的に制御または調整可能であり、前記外側のアノード部分、前記内側のアノード部分、および／または前記第１のアノード要素の中心周りの領域が、貫通管路なしで構成されたことを特徴とする、請求項１〜８のいずれか一項に記載の装置。
【請求項１０】
前記第１の装置要素および／または前記第３の装置要素の前記第１のアノード要素の前記複数の貫通管路が、当該第１のアノード要素の表面上の垂線に関して１０°〜６０°の角度を有する直線の形態で当該第１のアノード要素を貫通することを特徴とする、請求項１〜９のいずれか一項に記載の装置。
【請求項１１】
前記第１の装置要素および／または前記第３の装置要素の前記第１のアノード要素の前記複数の貫通管路が、当該第１のアノード要素の中心周りの同心円の形態で当該第１のアノード要素の表面上に配置されており、および／または
前記第１の装置要素および／または前記第３の装置要素の前記第１の支持要素の前記複数の貫通管路が、当該第１の支持要素の中心周りの同心円の形態で当該第１の支持要素の表面上に配置されたことを特徴とする、請求項１〜１０のいずれか一項に記載の装置。
【請求項１２】
前記第１の支持要素の中心周りの同心円の内側の前記貫通管路が、異なる角度を有しており、および／または
前記第１の支持要素の中心周り近傍に配置された第１の同心円の内側の前記貫通管路が、当該第１の支持要素の中心周りの当該第１の同心円よりも外側にある少なくとも１つの第２の同心円の内側の当該貫通管路よりも小さな角度を有していることを特徴とする、請求項１１に記載の装置。
【請求項１３】
前記第１の支持要素の表面上の垂線に関して、隣の各貫通管路と反対の角度を有している第２の貫通管路が配置された同心円の部分を含むことを特徴とする、請求項１２に記載の装置。
【請求項１４】
前記同心円の第２の貫通管路がそれぞれ、前記支持要素の表面上の垂線に関して、隣の各貫通管路と反対の角度を有していることを特徴とする、請求項１３に記載の装置。
【請求項１５】
前記第１の装置要素および／または前記第３の装置要素の前記第１の支持要素の貫通管路より外部のすべての同心円の内側の前記貫通管路が、より大きな角度を有することを特徴とする、請求項１２〜１４のいずれか一項に記載の装置。
【請求項１６】
前記第１の装置要素および／または前記第３の装置要素の前記第１の支持要素の貫通管路より外部のすべての同心円の内側の前記貫通管路が、すべて同じ大きな角度を有することを特徴とする、請求項１５に記載の装置。
【請求項１７】
前記第１の装置要素および／または前記第３の装置要素の前記第１の支持要素の前記複数の貫通管路が、当該支持要素の表面上の垂線に関して１０°〜６０°の角度を有する直線の形態で当該第１の支持要素を貫通しており、
前記第３の装置要素の前記第１の支持要素の前記貫通管路と対向する前記第１の装置要素の前記第１の支持要素の前記貫通管路の角度が、同一かまたは相違することを特徴とする、請求項１〜１６のいずれか一項に記載の装置。
【請求項１８】
前記第１の装置要素および／または前記第３の装置要素の前記第１の支持要素の前記複数の貫通管路が、当該支持要素の表面上の垂線に関して２５°〜５０°の角度を有する直線の形態で当該第１の支持要素を貫通していることを特徴とする、請求項１７に記載の装置。
【請求項１９】
前記第３の装置要素の前記第１の支持要素の前記貫通管路と対向する前記第１の装置要素の前記第１の支持要素の前記貫通管路の角度が同一であることを特徴とする、請求項１７または１８に記載の装置。
【請求項２０】
前記第１の支持要素の表面上の垂線に関して１０°〜６０°の角度を有する直線の形態で当該支持要素を貫通している複数の貫通管路を備えた前記第１の装置要素の当該第１の支持要素および前記第３の装置要素の当該第１の支持要素の両者が、当該第１の装置要素の当該第１の支持要素の当該複数の貫通管路が当該第３の装置要素の当該第１の支持要素の当該複数の貫通管路と同様かまたは別様に分布するように、互いに平行となるように垂直に配置されていることを特徴とする、請求項１〜１９のいずれか一項に記載の装置。
【請求項２１】
請求項１〜２０のいずれか一項に記載の装置を用いた、電解金属の基板上への垂直堆積方法において、
ｉ）互いに平行となるように垂直に配置された少なくとも１つの第１の装置要素および第２の装置要素を備え、
前記第１の装置要素が、複数の貫通管路を有する少なくとも１つの第１のアノード要素と、複数の貫通管路を有する少なくとも１つの第１の支持要素とを備え、前記少なくとも１つの第１のアノード要素および前記少なくとも１つの第１の支持要素が互いに堅く接続され、
前記第２の装置要素が、処理する少なくとも１つの第１の基板を受容するように構成された少なくとも１つの第１の基板ホルダーを備え、前記少なくとも１つの第１の基板ホルダーが、前記処理する少なくとも１つの第１の基板の受容後にその外枠に沿って、当該基板の少なくとも一部を囲んでおり、前記第２の装置要素は、前記第１の装置要素の前記第１のアノード要素側に設けられており、前記少なくとも１つの第１の装置要素の前記第１のアノード要素と前記第２の装置要素の前記少なくとも１つの第１の基板ホルダーとの間の距離が２〜１５ｍｍの範囲である、請求項１〜２０のいずれか一項に記載の装置を用意する方法ステップと、
ｉｉ）前記第１の装置要素の前記第１の支持要素の前記貫通管路を通った後、当該第１の装置要素の前記第１のアノード要素の前記貫通管路を通り、前記第２の装置要素の前記少なくとも１つの第１の基板ホルダーに受容された前記処理する少なくとも１つの第１の基板における当該第１の装置要素の当該第１のアノード要素のアノード表面側の面まで処理溶液の体積流を導く方法ステップと、
ｉｉｉ）前記処理する少なくとも１つの第１の基板の処理面と平行な２つの方向に前記第２の装置要素を移動させる方法ステップであって、当該処理する少なくとも１つの第１の基板を移動させる当該２つの方向が互いに直交しており、および／または前記処理する少なくとも１つの第１の基板を振動させる、方法ステップと、
を含むことを特徴とする方法。
【請求項２２】
方法ステップｉ）において、第３の装置要素をさらに設け、前記第２の装置要素が前記第１の装置要素と当該第３の装置要素との間に配置され、当該第３の装置要素が、複数の貫通管路を有する少なくとも１つの第１のアノード要素と、複数の貫通管路を有する少なくとも１つの第１の支持要素とを備え、前記少なくとも１つの第１のアノード要素および前記少なくとも１つの第１の支持要素が互いに堅く接続され、前記第２の装置要素は、前記第３の装置要素の前記第１のアノード要素側に設けられており、前記少なくとも１つの第３の装置要素の前記第１のアノード要素と前記第２の装置要素の前記少なくとも１つの第１の基板ホルダーとの間の距離が２〜１５ｍｍの範囲であり、
方法ステップｉｉ）において、前記第３の装置要素の前記第１の支持要素の前記貫通管路を通った後、当該第３の装置要素の前記第１のアノード要素の前記貫通管路を通り、前記第２の装置要素の前記少なくとも１つの第１の基板ホルダーに受容された前記処理する少なくとも１つの第１の基板における当該第３の装置要素の当該第１のアノード要素のアノード表面側の面まで処理溶液の第２の体積流を導き、
方法ステップｉｉｉ）において、前記第１の装置要素と前記第３の装置要素との間で、前記処理する少なくとも１つの第１の基板の処理面と平行な２つの方向に前記第２の装置要素を移動させ、当該処理する少なくとも１つの第１の基板を移動させる当該２つの方向が互いに直交しており、および／または前記処理する少なくとも１つの第１の基板を振動させる
ことを特徴とする、請求項２１に記載の方法。
【請求項２３】
前記処理する少なくとも１つの第１の基板を、当該基板の処理面と平行な円形パス上を移動させることを特徴とする、請求項２１または２２に記載の方法。
【請求項２４】
垂直堆積する電解金属が銅であることを特徴とする、請求項２１〜２３のいずれか一項に記載の方法。
【発明の詳細な説明】
【技術分野】
【０００１】
本発明は一般的に、電解金属、好適には銅の、基板上への垂直堆積装置に関する。本発明はさらに、このような装置を用いた、電解金属、好適には銅の、基板上への垂直堆積方法に関する。
【背景技術】
【０００２】
半導体ウェハから半導体集積回路等の半導体デバイスを製造するには通常、ウェハ上に複数の金属層を形成することによって、集積回路の種々デバイスを電気的に相互接続する必要がある。電気メッキ金属としては通常、銅、ニッケル、金、および鉛が挙げられる。通常の電気メッキ装置においては、装置の反応器内の電気メッキ溶液に装置のアノード（消耗品または非消耗品）を浸すことにより、ワークピースの表面に所望の電位を発生させて金属堆積を実現する。これまで採用されているアノードは通常、大略ディスク状の構成であり、アノードの大略上方に間隔を空けて配置された穿孔拡散板を介して、アノードの周辺に電気メッキ溶液が案内される。電気メッキ溶液は、拡散板を通り、当該拡散器上の適所に保持された関連するワークピースに対して流れる。金属堆積の均一性は、表面上への金属の堆積に際してワークピースを回転駆動することにより向上する。
【０００３】
電気メッキの後、通常の半導体ウェハ等のワークピースは、多数の個別の半導体コンポーネントに細分される。コンポーネントごとに所望のメッキ均一性を実現しつつ、各コンポーネントにおいて所望の回路構成を実現するには、ワークピースの表面全体で極力均一な厚さに各金属層を形成するのが望ましい。ただし、各ワークピースは通常、電気メッキ装置の回路  において、その周辺部で接合されている（通常、ワークピースがカソードとして機能する）ため、ワークピースの表面全体で電流密度を変化させることが必須となる。従来は、金属堆積の均一性を向上させる試みとして、拡散器等の流れ制御装置を電気メッキ反応器内に配置することにより、ワークピースに対して電気メッキ溶液の流れを案内および制御していた。
【０００４】
ただし、市場においては依然として、電解金属の堆積、特に電解金属の垂直堆積のための改良された装置および当該改良された新たな装置を用いる方法の提供が強く求められている。
【０００５】
通常、既知の装置および方法には、上記のような電解金属の不均一な堆積という大きな欠点がある。さらに、このような既知の装置および方法は一般的に、処理する基板の相互接続孔における電解金属の架橋を首尾よく効果的に行った後、短絡等の既知の技術的不都合を生じる閉鎖空隙、ガス、電解液等の発生なく孔を充填する機能が大きく制限されている。プリント配線板、ウェハ等の基板における止まり孔の充填に関しても同じ問題が発生する。
【発明の概要】
【発明が解決しようとする課題】
【０００６】
以上の従来技術を考慮して、本発明の目的は、既知の従来技術装置に関する上述の欠点がない、基板上への電解金属の垂直堆積装置を提供することにある。
【０００７】
したがって、基板の少なくとも一方の面において、その表面全体に不均一な部分または厚さの勾配がないように均一に電解金属を堆積させる方法が必要である。
【０００８】
また、本発明の別の目的は、基板の一方の面上への電解金属の堆積のみならず、当該基板中の止まり孔の充填も可能な装置を提供することにある。
【課題を解決するための手段】
【０００９】
これらの目的および明記はしていないが導入として本明細書に記載の関連性から直ちに導出または認識可能なその他の目的については、請求項１のすべての特徴を有する装置によって達成される。本考案装置の然るべき改良は、従属請求項２〜１３において保護される。さらに、請求項１４は、このような装置を用いた、電解金属、好適には銅の、基板上への垂直堆積方法を含み、本考案方法の然るべき改良は、従属請求項１５に含まれる。
【００１０】
したがって、本発明は、電解金属、好適には銅の、基板上への垂直堆積装置において、互いに平行となるように垂直に配置された少なくとも１つの第１の装置要素および第２の装置要素を備え、前記第１の装置要素が、複数の貫通管路を有する少なくとも１つの第１のアノード要素と、複数の貫通管路を有する少なくとも１つの第１の支持要素とを備え、前記少なくとも１つの第１のアノード要素および前記少なくとも１つの第１の支持要素が互いに堅く接続され、前記第２の装置要素が、処理する少なくとも１つの第１の基板を受容するように構成された少なくとも１つの第１の基板ホルダーを備え、前記少なくとも１つの第１の基板ホルダーが、前記処理する少なくとも１つの第１の基板の受容後にその外枠に沿って、当該基板の少なくとも一部、好適には全部を囲んでおり、前記少なくとも１つの第１の装置要素の前記第１のアノード要素と前記第２の装置要素の前記少なくとも１つの第１の基板ホルダーとの間の距離が２〜１５ｍｍの範囲であることを特徴とする装置を提供する。
【００１１】
これにより、予見し得ない様態にて、既知の従来技術装置に関する上述の欠点がない、基板上への電解金属の垂直堆積装置を提供することができる。
【００１２】
上記に加えて、本発明の装置は、基板の少なくとも一方の面において、その表面全体に不均一な部分または厚さの勾配がないように均一に電解金属を堆積させる方法を提供する。
【００１３】
さらに、本発明は、基板の一方の面上への電解金属の堆積のみならず、当該基板中の止まり孔の充填も可能な装置を提供する。
【００１４】
また、本発明の装置は、少なくとも１つの第１のアノード要素および少なくとも１つの第１の支持要素の複数の貫通管路が、処理する基板の表面の中心から当該処理する基板の外縁に向かう可能な限り大きな処理溶液の一定の体積流量を生じる処理溶液、特に従来技術において既知の電解溶液の適当な一定の体積流量を生成するのに役立つ装置を提供する。
【００１５】
また、本発明の目的、特徴、および利点については、添付の図面と併せて以下の説明を読むことにより明らかとなるであろう。
【図面の簡単な説明】
【００１６】
【図１】本発明の好適な一実施形態に係る第１の装置要素の第１のアノード要素の模式的な正面図である。
【図２】本発明の好適な一実施形態に係る第１の装置要素の第１の支持要素の模式的な背面図である。
【図３】本発明の好適な一実施形態に係る第１の装置要素の第１の支持要素の貫通管路の考え得る一分布を示した模式図である。
【図４】本発明の好適な一実施形態に係る第１または第３の装置要素の両者の第１の支持要素を併せた第１のアノード要素の模式的な正面図である。
【図５】本発明の好適な一実施形態に係る第１または第３の装置要素の両者の第１の支持要素を併せた第１のアノード要素の正面斜視図である。
【図６ａ】本発明の好適な一実施形態に係る貫通管路の分布が均等なマスキング要素の正面図である。
【図６ｂ】本発明の好適な一実施形態に係る貫通管路の分布が不均等なマスキング要素の正面図である。
【図７ａ】本発明の好適な一実施形態に係る複数の突起を備えた第１の支持要素の正面図である。
【図７ｂ】本発明の好適な一実施形態に係る複数の突起を備えた第１の支持要素の斜視図である。
【図７ｃ】本発明の好適な一実施形態に係る複数の突起を備えた第１の支持要素の斜視図の一部を示した分解図である。
【発明を実施するための形態】
【００１７】
本明細書において、用語「電解金属」は、本発明に係る、基板上への電解金属の垂直堆積装置に適用する場合、このような垂直堆積方法に適することが知られた金属を表す。そのような電解金属としては、金、ニッケル、および銅が挙げられ、好ましくは銅である。
【００１８】
なお、処理する基板に対する電解液の体積流量が一定となるように、少なくとも１つの第１のアノード要素の各貫通管路は、少なくとも１つの第１の支持要素の少なくとも１つの各貫通管路と整列している必要がある。
【００１９】
本明細書において、用語「堅く接続」は、少なくとも１つの第１の支持要素と当該支持要素の前方にある少なくとも１つの第１のアノード要素とを大きな距離を隔てずに接続することを表す。無視できない程の大きな距離が存在すると、支持要素の貫通管路を通過してから第１のアノード要素の各貫通管路に到達するまでに電解液の流れが広がって、都合が悪い。
【００２０】
堅く接続された第１の支持要素と第１のアノード要素との間のこのような距離は、５０ｍｍ未満、好ましくは２５ｍｍ未満、より好ましくは１０ｍｍ未満であれば都合が良いことが分かっている。
【００２１】
本発明の意味においては、第１の装置要素および／または第３の装置要素の少なくとも１つの第１のアノード要素の少なくとも一部、好ましくは全部が当該第１の装置要素および／または当該第３の装置要素の少なくとも１つの第１の支持要素に囲まれ、少なくとも１つの第１の支持要素の少なくとも１つの第１のアノード要素側の面が、当該少なくとも１つの第１の支持要素および当該少なくとも１つの第１のアノード要素の上縁が整列または非整列、好ましくは整列となるように当該少なくとも１つの第１のアノード要素を収容する空洞を有するのが好適であることが分かる。
【００２２】
このような装置は、第１の支持要素および第１のアノード要素の上縁の好適な整列に基づいて、第１の装置要素の配置が非常にコンパクトとなる。このように、第１のアノード要素は、従来技術において知られているように第１の支持要素から間隔を空けた当該装置の別個の部品ではなく、装置が小型化されてコスト削減につながる均一な装置ユニットを表す。第１のアノード要素は、第１の装置要素全体の安定性にも対応する。
【００２３】
本明細書において、第１のアノード要素と対向する基板ホルダーとの間の距離は、当該第１のアノード要素の表面から対向する当該基板ホルダーの表面まで延びた垂線の長さとして測定される。
【００２４】
一実施形態において、少なくとも１つの第１のアノード要素は、チタンまたは酸化イリジウムで被覆した材料を含む不溶性のアノードである。
【００２５】
一実施形態において、処理する少なくとも１つの第１の基板は、丸型、好ましくは円形、もしくは角型、好ましくは長方形、正方形、または三角形等の多角形、または半円等の丸型および角型構造要素の混合であり、および／または処理する少なくとも１つの第１の基板が、丸型構造の場合は５０ｍｍ〜１０００ｍｍ、好ましくは１００ｍｍ〜７００ｍｍ、より好ましくは１２０ｍｍ〜５００ｍｍの範囲の直径を有し、角型、好ましくは多角形構造の場合は１０ｍｍ〜１０００ｍｍ、好ましくは２５ｍｍ〜７００ｍｍ、より好ましくは５０ｍｍ〜５００ｍｍの範囲の辺長を有しており、および／または処理する少なくとも１つの第１の基板が、プリント配線板、プリント配線箔、半導体ウェハ、ウェハ、太陽電池、光電セル、フラットパネルディスプレイ、またはモニタセルである。処理する第１の基板は、ガラス、プラスチック、成形化合物、またはセラミック等の１つの材料または異なる材料の混合物で構成可能である。
【００２６】
さらに、本発明によれば、第１および／または第３の装置要素の少なくとも１つの第１のアノード要素および／または少なくとも１つの第１の支持要素の全体形状は、処理する基板および／または第２の装置要素の基板ホルダーの全体形状に適応させたものとすることも可能である。これにより、電解金属の堆積は、装置構成の所要条件を抑えることによって、より効率的かつ低コストにすることができる。
【００２７】
本発明の別の実施形態において、この装置は、第３の装置要素であって、第２の装置要素が第１の装置要素と当該第３の装置要素との間に配置されるように、当該第１の装置要素および当該第２の装置要素に平行となるように垂直に配置された、第３の装置要素をさらに備え、当該第３の装置要素が、複数の貫通管路を有する少なくとも１つの第１のアノード要素と、複数の貫通管路を有する少なくとも１つの第１の支持要素とを備え、少なくとも１つの第１のアノード要素および少なくとも１つの第１の支持要素が互いに堅く接続され、少なくとも１つの第３の装置要素の第１のアノード要素と第２の装置要素の少なくとも１つの第１の基板ホルダーとの間の距離が２〜１５ｍｍの範囲である。
【００２８】
また、第１の装置要素と同じであるか、または異なり得るこのような第３の装置要素を設けることによって、驚くべきことには、既知の従来技術装置とは対照的に、本発明の装置が、第２の装置要素の処理する基板の両面上への金属、特に銅の堆積のみならず、第２の装置要素の処理する基板の相互接続孔における電解金属の架橋を首尾よく効果的に行った後、閉鎖空隙、ガス、電解液等の発生なく孔を充填するのにも適することが分かっている。
【００２９】
好適な一実施形態においては、第１の装置要素および／または第３の装置要素が、複数の貫通管路を有し、当該第１の装置要素および／または当該第３の装置要素の少なくとも１つの第１のアノード要素、ならびに好ましくは当該第１の装置要素および／または当該第３の装置要素の少なくとも１つの第１の支持要素にも取り外し可能に接続されたマスキング要素をさらに備え、マスキング要素の表面上における複数の貫通管路の分布が均等または不均等である。
【００３０】
第１および／または第３の装置要素の第１のアノード要素それぞれの前方に設置および配置されたこのようなマスキング要素は、第１のアノード要素から処理する基板に至る電界の分布および形成に影響を及ぼす。このように、マスキング要素は、使用を意図した処理する基板の種類に応じて、最も有効である所望の均一な電界分布が生成され、その結果として処理する基板の表面上に最も有効である均一な電解金属が堆積するように、上記電界に影響を及ぼすことができる。
【００３１】
また、電解金属堆積プロセスにおいて、様々な所望の電解金属堆積密度領域を生成することにより、異なる密度の止まり孔および／または貫通接続ビアを備えた様々な領域を含む処理基板を取り扱うことも可能である。したがって、マスキング要素は、処理する基板の表面および／もしくは構造組成またはレイアウトに応じて個別に設計可能である。
【００３２】
このような個別の設計は、一種の個別穿孔構造を有するマスキング要素の貫通管路の意図する特定の分布によって生み出すことができる。マスキング要素は、有効となるために第１のアノード要素と少なくとも同じ寸法のサイズを有することによって、望ましくない電界のエッジ効果を回避するものとする。
【００３３】
本発明は、０．１〜３０ｍ／ｓ、好ましくは０．５〜２０ｍ／ｓ、より好ましくは１〜１０ｍ／ｓの範囲で処理溶液の体積流速を一定にした装置を提供する。
【００３４】
処理する基板の中心の表面から当該処理する基板の外縁に流れる処理溶液の全体積は、第１および／または第３の装置要素の少なくとも１つの第１の支持要素および少なくとも１つの第１のアノード要素の貫通管路を通って付加的な体積流が基板表面に到達し、基板の中心から外縁まで基板表面を既に通過した体積流と結合するという事実により、常に増加する。
【００３５】
第１および／または第３の装置要素の少なくとも１つの第１の支持要素の総厚は、４ｍｍ〜２５ｍｍ、好ましくは６ｍｍ〜１８ｍｍ、より好ましくは８ｍｍ〜１２ｍｍの範囲である。一方、第１および／または第３の装置要素の少なくとも１つの第１のアノード要素の総厚は、１ｍｍ〜２０ｍｍ、好ましくは２ｍｍ〜１０ｍｍ、より好ましくは３ｍｍ〜５ｍｍの範囲である。
【００３６】
第２の装置要素の処理する基板の各面と対向する第１および／または第３の装置要素の両者の少なくとも１つの第１の支持要素および少なくとも１つの第１のアノード要素の面が、当該第１および／または第３の装置要素の両者の当該少なくとも１つの第１の支持要素と当該少なくとも１つの第１のアノード要素との高さの違いの形態の障害なく均一な平坦表面を有するという事実に起因する当該第１および／または第３の装置要素の当該少なくとも１つの第１のアノード要素の総厚に関する上述の制限は、当該第１および／または第３の装置要素の両者の当該少なくとも１つの第１の支持要素および当該少なくとも１つの第１のアノード要素の上縁の整列によって対応される。
【００３７】
本発明の好適な一実施形態において、第１および／または第３の装置要素の少なくとも１つの第１のアノード要素の貫通管路は、導電性添加剤で被覆可能である。
【００３８】
本発明の好適な一実施形態において、第１および／または第３の装置要素の少なくとも１つの第１のアノード要素および／または少なくとも１つの第１の支持要素の貫通管路は、０．２ｍｍ〜１０ｍｍ、好ましくは１ｍｍ〜８ｍｍ、より好ましくは２ｍｍ〜５ｍｍの範囲で同じかまたは異なる平均直径を有し得る。
【００３９】
本発明の好適な一実施形態において、第１および／または第３の装置要素の少なくとも１つの第１のアノード要素および／または少なくとも１つの第１の支持要素の貫通管路は、同じかまたは異なる長さを有し得る。本発明の好適な一実施形態において、第１の装置要素と第２の装置要素の少なくとも１つの第１の基板ホルダーとの間の距離は、２〜１５ｍｍ、好ましくは３〜１１ｍｍ、より好ましくは４〜７ｍｍの範囲である。
【００４０】
特許請求の範囲に含まれる、基板上への電解金属の垂直堆積装置は、第１および／または第３の装置要素の第１のアノード要素と第２の装置要素の処理する基板の表面との間の距離が当該第１および／または第３の装置要素の当該第１のアノード要素と当該第２の装置要素の基板ホルダーとの間の距離よりも大きい。以上から、外縁においては、第１および／または第３の装置要素の第１のアノード要素と第２の装置要素との間の距離が特に円錐状に縮まって、外縁側への体積流速が増大する。これにより、垂直配置された装置による高さの違いに起因する静圧の差は、処理溶液の体積流の圧力の動的部分と比較して、一般的に無視可能となる。
【００４１】
本発明の別の実施形態において、第１の装置要素と第２の装置要素の少なくとも１つの第１の基板ホルダーとの間の距離は、連続的に一定とならないように配置することも可能である。これにより、処理する基板の全体に、金属、特に銅の堆積厚さの勾配を意図的に作ることも可能である。
【００４２】
さらに別の実施形態において、この装置は、一方側の第２の装置要素と他方側の第１の装置要素および／または第３の装置要素との間において、処理する基板の処理面と平行な方向の相対移動を生じさせる手段をさらに備える。
【００４３】
このような振動運動によれば、第２の装置要素の処理する基板の表面上における電解金属、特に銅の全堆積厚さの分布がより均一化されるため都合が良い。このような振動運動を行わなければ、第２の装置要素の処理する基板の表面に処理溶液の体積流が貫通管路を介して直接到達しない当該第２の装置要素の当該処理する基板の表面の部位において金属、特に銅の堆積が少なくなるのに比べて、当該第２の装置要素の当該処理する基板の表面に処理溶液の体積流が貫通管路を介して直接到達する当該表面の部位においては、金属、特に銅の堆積が多くなることから、当該表面上における金属、特に銅の厚さが不均一となる最悪のシナリオが考えられる。上記のような振動運動を適用することによって、上述の悪影響を克服可能である。
【００４４】
一実施形態においては、第１の装置要素および／もしくは第３の装置要素の第１のアノード要素が、少なくとも２つの部分を備え、アノード要素の各部分が互いに独立して電気的に制御および／もしくは調整可能であり、ならびに／またはアノード部分、好ましくは最も外側のアノード部分、および／もしくはアノード部分の内側、好ましくは当該最も外側のアノード部分の内側、の外部領域、および／もしくは第１のアノード要素の中心周りの領域が、貫通管路なしで構成される。ここで、これらのアノード部分間には、非導電層および／または中間空間が存在可能である。
【００４５】
特に、最も外側の部分ならびに／または第１および／もしくは第３の装置要素の少なくとも１つの第１のアノード要素のアノード部分の内側の最も外側の領域等、処理する基板の表面の所望部位における金属、特に銅の堆積を抑制するには、電流の制御および／または調整が好都合となる可能性がある。
【００４６】
最も外側のアノード部分ならびに／または第１および／もしくは第３の装置要素の少なくとも１つの第１のアノード要素の最も外側のアノード部分の内側のアノード領域は、アノード要素の全表面積の少なくとも５％、好ましくは少なくとも１０％、より好ましくは少なくとも１５％の割合の表面積を含むことができる。
【００４７】
最も内側のアノード部分ならびに／または第１および／もしくは第３の装置要素の少なくとも１つの第１のアノード要素の最も内側のアノード部分の内側のアノード領域は、アノード要素の全表面積の少なくとも３０％、好ましくは少なくとも５０％、より好ましくは少なくとも７０％の割合の表面積を含むことができる。
【００４８】
一実施形態においては、第１の装置要素および／または第３の装置要素の第１のアノード要素の複数の貫通管路が、当該第１のアノード要素の表面上の垂線に関して０°〜８０°、好ましくは１０°〜６０°、より好ましくは２５°〜５０°、または０°の角度を有する直線の形態で当該第１のアノード要素を貫通している。第１のアノード要素の貫通管路は一般的に、丸型、好ましくは楕円形の断面、および／または長円孔の断面を有し、当該長円孔が好ましくは第１のアノード要素の中心から外側に配向可能である。
【００４９】
第１または第３の装置要素の少なくとも１つの第１のアノード要素は、当該第１または第３の装置要素の当該少なくとも１つの第１のアノード要素および少なくとも１つの第１の支持要素を貫通する少なくとも１つの固定要素を備える。第１および／または第３の装置要素に２つ以上のアノード要素および／または２つ以上のアノード部分が設けられている場合は、当該第１および／または第３の装置要素のアノード要素および／またはアノード部分ごとに少なくとも１つの固定要素を独立して設けることが意図され得る。さらに、本発明の意味においては、これらの固定要素が同時に、第１および／または第３の装置要素の少なくとも１つのアノード要素および／またはアノード部分の電気コンタクト要素を提供することも意図され得る。
【００５０】
一実施形態においては、第１の装置要素および／または第３の装置要素の第１のアノード要素の複数の貫通管路が、当該第１のアノード要素の中心周りの同心円の形態で当該第１のアノード要素の表面上に配置されており、および／または第１の装置要素および／または第３の装置要素の第１の支持要素の複数の貫通管路が、当該第１の支持要素の中心周りの同心円の形態で当該第１の支持要素の表面上に配置されている。
【００５１】
第２の装置要素の処理する基板が角型、好ましくは長方形、正方形、または三角形等の多角形、または半円等の丸型および角型構造要素の混合である場合は、第１および／または第３の装置要素の第１の支持要素および／または第１のアノード要素における上述の同心円の貫通管路のほかに特定の貫通管路を追加することによって、当該第２の装置要素の処理する基板の縁部および角部にも十分かつ有効な入射体積流を延長するのが好都合である。ここで特に、これらの付加的な貫通管路は、第１および／または第３の装置要素の第１の支持要素および／または第１のアノード要素の中心に関してそれぞれ点対称に配置される。
【００５２】
一実施形態においては、第１の装置要素および／または第３の装置要素の第１の支持要素の複数の貫通管路が、当該支持要素の表面上の垂線に関して１０°〜６０°、好ましくは２５°〜５０°の角度を有する直線の形態で当該第１の支持要素を貫通している。
【００５３】
別の実施形態においては、第１の支持要素の中心周りの同心円の内側の貫通管路が、異なる角度を有し、好ましくは当該同心円の一部を含み、第２の貫通管路がそれぞれ、当該支持要素の表面上の垂線に関して先行する各貫通管路と反対の角度を有し、より好ましくは当該同心円の第２の貫通管路がそれぞれ、当該支持要素の表面上の垂線に関して先行する各貫通管路と反対の角度を有しており、および／または第１の支持要素の中心周り近傍に配置された第１の同心円の内側の貫通管路が、当該第１の支持要素の中心周りの当該第１の同心円よりも外側にある少なくとも１つの第２の同心円の内側の当該貫通管路よりも小さな角度を有し、好ましくは第１の装置要素および／または第３の装置要素の第１の支持要素の貫通管路より外部のすべての同心円の内側の貫通管路が、より大きな角度、特にすべて同じ大きな角度を有する。第１の支持要素の貫通管路は一般的に、丸型、好ましくは円形の断面を有し得る。
【００５４】
一実施形態においては、第１の装置要素および／または第３の装置要素の第１の支持要素の複数の貫通管路が、当該支持要素の表面上の垂線に関して１０°〜６０°、好ましくは２５°〜５０°の角度を有する直線の形態で当該第１の支持要素を貫通しており、第３の装置要素の第１の支持要素の貫通管路と対向する第１の装置要素の第１の支持要素の貫通管路の角度が、同一かまたは相違し、好ましくは同一である。
【００５５】
驚くべきことには、第３の装置要素の第１の支持要素の貫通管路と対向する第１の装置要素の第１の支持要素の貫通管路の角度が同一である場合に、処理する基板中の止まり孔の充填が最も効率的に作用して都合が良い一方、角度が相違する場合には充填の結果が不良となり、角度が最大限に相違する場合に充填も最悪となることが分かっている。
【００５６】
一実施形態においては、第１の支持要素の表面上の垂線に関して１０°〜６０°、好ましくは２５°〜５０°の角度を有する直線の形態で当該第１の支持要素を貫通している複数の貫通管路を備えた第１の装置要素の当該第１の支持要素および第３の装置要素の当該第１の支持要素の両者が、当該第１の装置要素の当該第１の支持要素の当該複数の貫通管路が当該第３の装置要素の当該第１の支持要素の当該複数の貫通管路と同様かまたは別様に分布するように、互いに平行となるように垂直に配置されており、および／または第３の装置要素の第１の支持要素の複数の貫通管路に対する第１の装置要素の第１の支持要素の複数の貫通管路の特定配向を設定するため、上記垂直配置の平行平面の内側で当該第１の装置要素および当該第３の装置要素が互いに回転される。
【００５７】
驚くべきことには、第１および／または第３の装置要素の第１の支持要素の貫通管路が円形の断面を有し、それぞれの第１のアノード要素の貫通管路が長円孔の断面を有し、当該長円孔が第１のアノード要素の中心から外側に配向している場合に特に都合が良いことが分かっている。このような幾何学的配置には、前方にある第１のアノード要素の下方における第１の支持要素の貫通管路から、当該第１のアノード要素の真っ直ぐな長円孔（角度０°）を通り、最終的に当該第１のアノード要素の長円孔から流出して、処理する基板の表面上に至る処理溶液の体積流を生成可能であるという利点がある。ここで、処理溶液の体積流は、支持要素の表面上の垂線に関して平行でも垂直でもなく、処理する基板の表面上に至る。
【００５８】
より好適な別の実施形態においては、第１の装置要素および／または第３の装置要素の第１の支持要素が、少なくとも１つの第１のアノード要素側の前面上に複数の突起をさらに備え、第１の支持要素の突起が、好ましくは当該突起の表面が第１のアノード要素の表面と整列するように、当該第１のアノード要素の貫通管路に嵌入しており、第１の支持要素の貫通管路が、突起全体にわたって直線的に延びている。
【００５９】
このような突起には、処理溶液源からの流体の流れが、前方にある第１のアノード要素の上方における第１の支持要素の貫通管路を始点とすることができるという利点がある。したがって、第１のアノード要素は、第１の支持要素の各突起の形態の貫通管路を備えることによって、当該突起が貫通管路に正確に嵌入できるようにする必要がある。
【００６０】
このように、処理溶液の体積流は、第１および／または第３の装置要素の最終表面を直接出て、支持要素の表面上の垂線に関して平行でも垂直でもなく、処理する基板の表面上に至る。これは、このような突起がない場合よりも第１のアノード要素それぞれの貫通管路のサイズおよび寸法を小さく選定できるという事実から、特に都合が良い。以上から、このような突起を利用することによって、アノード表面の喪失を低減可能であり、理想的には最小化可能である。
【００６１】
別の利点として、処理溶液の体積流のいわゆる「再循環領域」が第１のアノード要素の貫通管路の側壁によって減少することはない。従来技術においては一般的に、溶液の体積流の一部が逆流することによって、体積流自体が長くなり、その延長方向に集中することが知られている。第１のアノード要素の貫通管路の側壁等の障害物が処理溶液の体積流の再循環領域の妨げになると、体積流は、集中せずに広がって、処理する基板の表面に不確定に到達する可能性がある。これは、第１のアノード要素の貫通管路のサイズおよび寸法を大幅に増大することによってのみ克服可能であるが、逆に、必要なアノード表面が大幅に失われることになる。あるいは、上記突起を適用することによっても克服可能であり、第１のアノード要素の上面が当該突起の上面と整列する。
【００６２】
さらに、本発明の目的は、上記のような装置を用いた、電解金属、好ましくは銅の、基板上への垂直堆積方法において、
ｉ）互いに平行となるように垂直に配置された少なくとも１つの第１の装置要素および第２の装置要素を備え、第１の装置要素が、複数の貫通管路を有する少なくとも１つの第１のアノード要素と、複数の貫通管路を有する少なくとも１つの第１の支持要素とを備え、少なくとも１つの第１のアノード要素および少なくとも１つの第１の支持要素が互いに堅く接続され、第２の装置要素が、処理する少なくとも１つの第１の基板を受容するように構成された少なくとも１つの第１の基板ホルダーを備え、少なくとも１つの第１の基板ホルダーが、処理する少なくとも１つの第１の基板の受容後にその外枠に沿って、当該基板の少なくとも一部、好ましくは全部を囲んでおり、少なくとも１つの第１の装置要素の第１のアノード要素と第２の装置要素の少なくとも１つの第１の基板ホルダーとの間の距離が２〜１５ｍｍの範囲である、先行請求項のいずれか一項に記載の装置を用意する方法ステップと、
ｉｉ）第１の装置要素の第１の支持要素の貫通管路を通った後、当該第１の装置要素の第１のアノード要素の貫通管路を通り、第２の装置要素の少なくとも１つの第１の基板ホルダーに受容された処理する少なくとも１つの第１の基板における当該第１の装置要素の当該第１のアノード要素のアノード表面側の面まで処理溶液の体積流を導く方法ステップと、
ｉｉｉ）処理する少なくとも１つの第１の基板の処理面と平行な２つの方向に第２の装置要素を移動させる方法ステップであって、当該処理する少なくとも１つの第１の基板を移動させる当該２つの方向が互いに直交しており、および／または処理する少なくとも１つの第１の基板を振動させて、好ましくは当該基板の処理面と平行な円形パス上を移動させる、方法ステップと、
を特徴とする方法によって達成される。
【００６３】
本発明においては、処理溶液の流入が、可能であれば同一かまたは少なくとも相対的に同様の圧力で少なくとも１つの第１の支持要素の背面上の貫通管路の開口に到達することにより、同一かまたは少なくとも相対的に同様の体積流量および体積流速を有し、第１および／または第３の装置要素の両者について、第１に少なくとも１つの第１の支持要素の貫通管路を通り、第２に少なくとも１つの第１のアノード要素の貫通管路を通って、第２の装置要素の処理する基板の表面に到達する体積流量を一定にしたものであれば都合が良いことが分かっている。
【００６４】
方法の好適な一実施形態において、この方法は、方法ステップｉ）において、第３の装置要素をさらに設け、第２の装置要素が第１の装置要素と当該第３の装置要素との間に配置され、当該第３の装置要素が、複数の貫通管路を有する少なくとも１つの第１のアノード要素と、複数の貫通管路を有する少なくとも１つの第１の支持要素とを備え、少なくとも１つの第１のアノード要素および少なくとも１つの第１の支持要素が互いに堅く接続され、少なくとも１つの第３の装置要素の第１のアノード要素と第２の装置要素の少なくとも１つの第１の基板ホルダーとの間の距離が２〜１５ｍｍの範囲であり、
方法ステップｉｉ）において、第３の装置要素の第１の支持要素の貫通管路を通った後、当該第３の装置要素の第１のアノード要素の貫通管路を通り、第２の装置要素の少なくとも１つの第１の基板ホルダーに受容された処理する少なくとも１つの第１の基板における当該第３の装置要素の当該第１のアノード要素のアノード表面側の面まで処理溶液の第２の体積流を導き、
方法ステップｉｉｉ）において、第１の装置要素と第３の装置要素との間で、処理する少なくとも１つの第１の基板の処理面と平行な２つの方向に第２の装置要素を移動させ、当該処理する少なくとも１つの第１の基板を移動させる当該２つの方向が互いに直交しており、および／または処理する少なくとも１つの第１の基板を振動させて、好ましくは当該基板の処理面と平行な円形パス上を移動させる、
ことを特徴とする。
【００６５】
この方法の別の利点として、電解液の体積流速、電流密度の調整および／もしくは制御ならびに／または電解液の選択により、処理する基板中の相互接続孔を閉塞する架橋プロセス（高電流密度［９Ａｄｍ２］および体積流速（第１の電解液））またはこのような架橋プロセス等により生成された止まり孔の充填プロセス（低電流密度［５Ａｄｍ２］および体積流速（第２の電解液））を促進することが可能である。
【００６６】
以上のように、本発明は、電解金属、好適には銅の、基板上への垂直堆積装置およびこのような装置を用いた方法を提供することによって、従来技術に関する上述の欠点を首尾よく克服するという課題に対処している。
【００６７】
以下の非限定的な例は、本発明の好適な実施形態を説明するために提供しており、第１の装置要素の第１のアノード要素が当該第１の装置要素の第１の支持要素に完全に囲まれ、第１の支持要素の第１のアノード要素側の面が、当該第１の支持要素および当該第１のアノード要素の上縁が整列となるように当該第１のアノード要素を収容する空洞を有する。
【００６８】
ここで図面を参照して、図１は、好適な一実施形態に係る第１または第３の装置要素の第１のアノード要素１５の模式的な正面図であって、第１のアノード要素１５の第１のアノード部分２と、第１のアノード要素１５の第２のアノード部分３と、第１のアノード要素１５の第１および第２のアノード部分２、３間の中間空間４とを備える。
【００６９】
さらに、図１は、第１のアノード部分２の内側に、第１のアノード要素１５の当該第１のアノード部分２の４つの異なる固定・電気コンタクト要素５を示す一方、第１のアノード要素１５の第２のアノード部分３の内側に、４つの異なる固定・電気コンタクト要素６を示している。ここで、これら４つの異なる固定・電気コンタクト要素６は、第１のアノード要素１５の円形の第２のアノード部分３の外側に配置されているが、印加される電界の撹乱等のいくつかの不都合のため、本発明のより好適な一実施形態においては適用しないものとする。ただし、図１に示す第１のアノード要素１５については、本発明の主目的を満たすように首尾よく適用されている。
【００７０】
また、図１は、第１のアノード要素１５の中心周りに円形に配置された当該第１のアノード要素１５の第１のアノード部分２の複数の貫通管路７を示している。貫通管路は、長円孔の断面を有し、この長円孔は、第１のアノード要素の中心から外側に配向している。第１のアノード要素１５の第１のアノード部分２の中心８および第１のアノード要素１５の最も外側のアノード領域９（この場合は第２のアノード部分３に等しい）には、貫通管路が一切存在しない。
【００７１】
図２は、好適な一実施形態に係る第１の装置要素の第１の支持要素１０の模式的な背面図であって、第１の支持要素１０の中心周りに円形かつ点対称に配置された貫通管路１１と、固定要素１２とを備える。貫通管路は、円形の断面を有する。さらに、他方側（支持要素１０の前側）にある第１のアノード要素の第１のアノード部分の固定・電気コンタクト要素５’のほか、第１のアノード要素の第２のアノード部分６’の固定・電気コンタクト要素も認識できる。さらに特筆すべきこととして、第１の支持要素１０の背面の中心には貫通管路が存在しないため、当然のことながら、前側にある第１の支持要素１０の空洞（この図には示さず）に配置された隣接する第１のアノード要素の中心にも貫通管路は存在しない。
【００７２】
図３は、好適な一実施形態に係る第１の装置要素の第１の支持要素１０’の貫通管路１１’の考え得る一分布を示した模式図であって、第１または第３の装置要素の第１の支持要素１０’の内側に、当該第１の支持要素１０’の固定要素１２’と、当該第１の支持要素１０’および第１のアノード要素の上縁が整列となるように当該第１のアノード要素を収容するのに適した空洞１３とを備える。さらに、図３は、第１の支持要素の表面上の垂線１４を示しており、これは、当該垂線１４に対する第１の支持要素１０’の貫通管路１１’の角度を測定するためのものである。これらの貫通管路１１’は、支持要素１０’の中心に最も近い位置で３０°の角度を有し、その他の、より外側の貫通管路１１’が４０°を有していることが明示されている。ただし、これは、支持要素１０’のある断面を図示したものである。すなわち、特に支持要素１０’の中心周りの円形配置における隣の各貫通管路１１’（図３には示さず）は、図３に示す貫通管路１１’と同じかまたは異なる角度を有し得ることを意味する。
【００７３】
図４および図５は、好適な一実施形態に係る第１または第３の装置要素１、１’の両者の第１の支持要素１０’’、１０’’’を併せた第１のアノード要素の正面図および斜視図であって、第１のアノード要素の第１のアノード部分２’、２’’および第２のアノード部分３’、３’’を備え、当該第１のアノード要素の第１のアノード部分２’、２’’と第２のアノード部分３’、３’’との間に中間空間４’、４’’を有する。さらに、図４および図５は、第１のアノード要素の第１のアノード部分２’、２’’の固定・電気コンタクト要素５’’、５’’’と、第２のアノード部分３’、３’’の固定・電気コンタクト要素６’’、６’’’とを示している。
【００７４】
また、図４は、第１のアノード要素の第１のアノード部分２’の背後に配置され、当該第１のアノード部分２’の貫通管路７’の内側で交互に見られる第１の支持要素１０’’の貫通管路１１’’を示している。この表現「交互に」は、第１の支持要素１０’’の中心周りの同心円の内側の第２の貫通管路１１’’がそれぞれ、支持要素の表面上の垂線に関して、先行する各貫通管路１１’’と反対の角度を有することを意味する。これに対して、図５は、第１のアノード要素の第１のアノード部分２’’の貫通管路７’’のみを示している。
【００７５】
図４および図５は、第１のアノード要素の第１のアノード部分２’、２’’における貫通管路７’、７’’のない中心８’、８’’と、貫通管路のない第１のアノード要素の最も外側のアノード領域９’、９’’（この場合は第２のアノード部分３’、３’’に等しい）とをさらに示している。そして最後に、第１の支持要素１０’’、１０’’’の固定要素１２’’、１２’’’が存在する。本発明の本実施形態において、第１のアノード部分７’、７’’の貫通管路の最も外側の円は、処理溶液の入射体積流の生成および／または好影響の波及という目的を果たすことによって、第１のアノード要素の最も外側の領域（この場合は第２のアノード部分３’、３’’）であっても、電解金属、特に銅の堆積を適正に首尾よく行うことにより、特に第１の支持要素１０’’、１０’’’によって少なくとも一部、または本発明の好適な本実施形態のように全部が囲まれた第１のアノード要素の縁部まで処理溶液の入射体積流を導く。
【００７６】
図６ａおよび図６ｂは、本発明の好適な一実施形態に係る貫通管路１７、１７’の分布が均等（図６ａ）または不均等（図６ｂ）なマスキング要素１６、１６’の正面図である。さらに、図６ａおよび図６ｂは、マスキング要素の固定要素１８、１８’を示している。
【００７７】
図７ａおよび図７ｂは、複数の突起１９を備えた本発明の好適な一実施形態に係る第１または第３の装置要素の第１の支持要素１０’’’’の正面図および斜視図である。図７ａおよび図７ｂは、第１のアノード要素の第１および第２のアノード部分間の中間空間４’’’をさらに示している（これらの図では、好適な第１の支持要素の前面を良好に図示するため、アノード部分を含んでいない）。さらに、第１のアノード要素の第１のアノード部分の固定要素および電気コンタクト要素５’’’’と、第１のアノード要素の第２のアノード部分の固定要素および電気コンタクト要素６’’’’とが存在する。したがって、第１の支持要素１０’’’’は、複数の貫通管路１１’’’、いくつかの固定要素１２’’’’、および空洞１３’を備える。図７ｃは、複数の突起１９を備えた本発明の好適な一実施形態に係る第１の支持要素１０’’’’について、図７ｂの斜視図の一部を示した分解図である。
【００７８】
当然のことながら、本明細書に記載の実施形態はほんの一例に過ぎず、当業者は、本発明の主旨および範囲から逸脱することなく、多くの変形および改良を行うことができる。このような変形および改良はすべて、上述したものも含めて、添付の特許請求の範囲に規定する本発明の範囲に含まれるものである。
【符号の説明】
【００７９】
１、１’  第１または第３の装置要素
２、２’、２’’  第１のアノード要素の第１のアノード部分
３、３’、３’’  第１のアノード要素の第２のアノード部分
４、４’、４’’、４’’’  第１のアノード要素の第１および第２のアノード部分間の中間空間
５、５’、５’’、５’’’、５’’’’  第１のアノード要素の第１のアノード部分の固定要素および電気コンタクト要素
６、６’、６’’、６’’’、６’’’’  第１のアノード要素の第２のアノード部分の固定要素および電気コンタクト要素
７、７’、７’’  第１のアノード要素の第１のアノード部分の貫通管路
８、８’、８’’  第１のアノード要素の第１のアノード部分における貫通管路のない中心
９、９’、９’’  貫通管路のない第１または第３の装置要素の第１のアノード要素の最も外側のアノード領域
１０、１０’、１０’’、１０’’’、１０’’’’  第１／第３の装置要素の第１の支持要素
１１、１１’、１１’’、１１’’’  第１の支持要素の貫通管路
１２、１２’、１２’’、１２’’’、１２’’’’  第１の支持要素の固定要素
１３、１３’  第１の支持要素の内側の空洞
１４  第１の支持要素の表面上の垂線
１５  アノード要素
１６、１６’  マスキング要素
１７、１７’  マスキング要素の貫通管路
１８、１８’  マスキング要素の固定要素
１９  第１の支持要素の突起
【図１】
0006000473.tif 000002
【図２】
0006000473.tif 000003
【図３】
0006000473.tif 000004
【図４】
0006000473.tif 000005
【図５】
0006000473.tif 000006
【図６ａ】
0006000473.tif 000007
【図６ｂ】
0006000473.tif 000008
【図７ａ】
0006000473.tif 000009
【図７ｂ】
0006000473.tif 000010
【図７ｃ】
0006000473.tif 000011